(57)【特許請求の範囲】
【請求項１】
建設機械の上部旋回フレーム等の基台上に、エンジン等の動力機関を収容するハウスフレームを組付ける際のハウスフレーム位置決め手段であって、ボルト穴を形成したハウスフレーム取付けプレートを前記基台に立設し、ハウスフレームの側面下部に前記ハウスフレーム取付けプレートのボルト穴に対応するボルト穴を形成するとともに、ハウスフレームの側面に前記基台のハウスフレーム取付けプレートと位置決め対偶をなす位置決めプレートを設け、前記基台にハウスフレームを搭載したときに、ハウスフレームの位置決めプレートが基台のハウスフレーム取付けプレートに載って、前記ハウスフレーム取付けプレートのボルト穴とハウスフレームのボルト穴とが合致し、合致したボルト穴にボルトを挿通して締結できるように構成した建設機械のハウスフレーム位置決め装置。
【請求項２】
上記ハウスフレームの位置決めプレートの下面、または上記基台のハウスフレーム取付けプレートの上面を円弧形の曲面として、上記位置決めプレートとハウスフレーム取付けプレートとが線接触となるようにした請求項1記載の建設機械のハウスフレーム位置決め装置。
【発明の詳細な説明】
【技術分野】
【０００１】
この発明は、建設機械のハウスフレーム位置決め装置に関するものであり、特に、ハウスフレーム組付け時にハウスフレームの高さが無調整で位置決めされるようにした建設機械のハウスフレーム位置決め装置に関するものである。
【背景技術】
【０００２】
建設機械には、上部旋回フレーム等に搭載したハウスフレームへエンジンや油圧ポンプなどの動力機構及びラジエータなどの補機類を収容したものが多い（例えば、特許文献１）。
【０００３】
ハウスフレームが搭載される上部旋回フレームにはハウスフレーム取付け座が立設されていて、ハウスフレーム取付け座とハウスフレームの下部とにそれぞれ形成された水平方向のボルト穴を位置合わせし、挿通したボルトへナットを締結してハウスフレームを固定している。
【特許文献１】特開平11-158921号公報（段落番号0005、0006）
【発明の開示】
【発明が解決しようとする課題】
【０００４】
上部旋回フレームへハウスフレームを組付けるにあたっては、クレーンでハウスフレームを吊り上げ、ハウスフレームの下部のボルト穴をハウスフレーム取付け座のボルト穴に位置合わせしてボルト締めするが、位置合わせ作業が容易ではなく、高さ調整に時間と手間がかかる。
【０００５】
また、上部旋回フレームとハウスフレームなどの大型部材を締結するためのボルト穴は、穴位置の誤差を吸収するためにボルト径に対して穴径に余裕を持たせてあるので、ボルト締結時にハウスフレームの上下位置がずれることがあり、複数のハウスフレーム取付け座に対するハウスフレームのそれぞれのボルト穴の上下位置がばらついて、ハウスフレームが傾斜した状態で固定されることがある。そこで、ハウスフレームの組付け作業を容易化するとともに位置決め精度を向上するために解決すべき技術的課題が生じてくるのであり、本発明は上記課題を解決することを目的とする。
【課題を解決するための手段】
【０００６】
この発明は、上記目的を達成するために提案するものであり、建設機械の上部旋回フレーム等の基台上に、エンジン等の動力機関を収容するハウスフレームを組付ける際のハウスフレーム位置決め手段であって、ボルト穴を形成したハウスフレーム取付けプレートを前記基台に立設し、ハウスフレームの側面下部に前記ハウスフレーム取付けプレートのボルト穴に対応するボルト穴を形成するとともに、ハウスフレームの側面に前記基台のハウスフレーム取付けプレートと位置決め対偶をなす位置決めプレートを設け、前記基台にハウスフレームを搭載したときに、ハウスフレームの位置決めプレートが基台のハウスフレーム取付けプレートに載って、前記ハウスフレーム取付けプレートのボルト穴とハウスフレームのボルト穴とが合致し、合致したボルト穴にボルトを挿通して締結できるように構成した建設機械のハウスフレーム位置決め装置を提供するものである。
【０００７】
また、上記ハウスフレームの位置決めプレートの下面、または上記基台のハウスフレーム取付けプレートの上面を円弧形の曲面として、上記位置決めプレートとハウスフレーム取付けプレートとが線接触となるようにした建設機械のハウスフレーム位置決め装置を提供するものである。
【発明の効果】
【０００８】
本発明の建設機械のハウスフレーム位置決め装置は、建設機械の上部旋回フレーム等の基台上にハウスフレームを組付ける際に、基台上の所定位置へハウスフレームを載せれば、ハウスフレームの側面に設けた位置決めプレートが基台に設けたハウスフレーム取付けプレートに載ってハウスフレームの相対的上下位置が決まり、ハウスフレーム取付けプレートのボルト穴とハウスフレームのボルト穴とが合致して、ハウスフレームを正しい姿勢で基台へ固定することが容易である。したがって、ハウスフレームの高さや傾斜を調整する手間が不要となり生産性が向上するとともに、組立のばらつきを抑制して製品品質も向上する。
【０００９】
また、ハウスフレームの位置決めプレートの下面、または基台のハウスフレーム取付けプレートの上面を円弧形の曲面として、位置決めプレートとハウスフレーム取付けプレートとが線接触となるようにすることにより、位置決めプレートやハウスフレーム取付けプレートの成形寸法誤差による位置決め精度の低下を抑制できる。
【発明を実施するための最良の形態】
【００１０】
この発明は、建設機械の上部旋回フレーム等の基台上に、エンジン等の動力機関を収容するハウスフレームを組付ける際のハウスフレーム位置決め手段であって、ボルト穴を形成したハウスフレーム取付けプレートを基台に立設し、ハウスフレームの側面下部にハウスフレーム取付けプレートのボルト穴に対応するボルト穴を形成するとともに、ハウスフレームの側面に前記基台のハウスフレーム取付けプレートと位置決め対偶をなす位置決めプレートを設けたものである。これにより、基台にハウスフレームを搭載したときに、ハウスフレームの位置決めプレートが基台のハウスフレーム取付けプレートに載ってハウスフレームの上下位置がきまるとともに、ハウスフレーム取付けプレートのボルト穴とハウスフレームのボルト穴とが合致し、合致したボルト穴にボルトを挿通して締結すれば、ハウスフレームが所定の高さ及び水平度で設置され、ハウスフレームの組付け作業の容易化と位置決め精度の向上という目的を達成できた。
【実施例１】
【００１１】
図1は建設機械の下部走行体の上に搭載される上部旋回フレーム1を示し、ブーム、アーム、バケットからなる機構部のブーム（図示せず）が取付けられるブラケット2が上面に設けられており、後部（図において左）に搭載されたハウスフレーム11に、エンジンや油圧ポンプなどの動力機関が収容される。
【００１２】
図2及び図3は上部旋回フレーム1の後部右隅のハウスフレーム搭載部分を示し、ハウスフレーム11の四隅に対応する位置にハウスフレーム取付けプレート3が取付けられている。ハウスフレーム取付けプレート3は上部旋回フレーム1のメンバーから上方に突出していて、突出部分の中央にボルト穴4が形成されている。
【００１３】
図4に示すように、ハウスフレーム11の下部の四隅にもハウスフレーム取付けプレート3のボルト穴4に対応するボルト穴12が形成されており、このボルト穴12の上方に位置決めプレート13が溶接などの手段によって貼付けられている。位置決めプレート13は、下辺が円弧形の板であり、下端とボルト穴の中心との距離L1は、上部旋回フレーム1のハウスフレーム取付けプレート3の上端とボルト穴4の中心との距離L2と一致している。
【００１４】
したがって、図4に示すように、クレーン（図示せず）によって吊り上げたハウスフレーム11を上部旋回フレーム1のハウスフレーム搭載位置へ下降すると、図5に示すように、ハウスフレーム11の位置決めプレート13が上部旋回フレーム1のハウスフレーム取付けプレート3に載り、ハウスフレーム11のボルト穴12と上部旋回フレーム1のボルト穴4とが正確に合致し、合致したボルト穴へボルトを挿通してナットを締め付ければ、ハウスフレーム11が上部旋回フレーム1へ水平に固定される。
【００１５】
図6及び図7は上部旋回フレーム1のボルト穴4とハウスフレーム11のボルト穴12とが合致した状態を示し、ハウスフレーム11の位置決めプレート13の下辺が円弧形であるから、上部旋回フレーム1のハウスフレーム取付けプレート3の上辺に対して位置決めプレート13は面接触ではなく線接触となり、ハウスフレーム取付けプレート3の上辺の平面度や傾斜度にかかわらず、ハウスフレーム11は安定して位置決めされる。また、上記の実施形態とは逆に、ハウスフレーム取付けプレート3の上辺を円弧形とし、位置決めプレート13の下辺を水平な直線としても上記と同じ効果が得られる。尚、図7において符号Bはボルトである。
【００１６】
このように、ハウスフレーム11の壁面に位置決めプレート13を設けたことにより、クレーンによって吊り上げたハウスフレーム11を上部旋回フレーム1の所定位置へ下降させれば、位置決めプレート13が上部旋回フレーム1のハウスフレーム取付けプレート3に載って、少なくともハウスフレーム11のボルト穴12と上部旋回フレーム1のボルト穴4の上下方向の位置は自動的に合致するので、ボルト締めの際にハウスフレーム11の高さを調整する手間は不要である。また、ボルト締めの後にハウスフレーム11の水平度が変化して傾くこともない。
【００１７】
尚、この発明は上記の実施形態に限定するものではなく、上部旋回フレームではなく固定形プラットホームへのハウスフレーム取付け装置として適用することもできることはいうまでもない。また、この発明の技術的範囲内において種々の改変が可能であり、この発明がそれらの改変されたものに及ぶことは当然である。
【図面の簡単な説明】
【００１８】
【図１】ハウスフレームを搭載した上部旋回フレームの側面図。
【図２】ハウスフレームを搭載した上部旋回フレームの斜視図。
【図３】ハウスフレームを搭載した上部旋回フレームの背面図。
【図４】ハウスフレームの組付け工程図。
【図５】ハウスフレームの組付け工程図。
【図６】上部旋回フレームとハウスフレームの結合部分の背面図。
【図７】上部旋回フレームとハウスフレームの結合部分の側面図。
【符号の説明】
【００１９】
1     上部旋回フレーム
2     ブラケット
3     ハウスフレーム取付けプレート
4     ボルト穴
11    ハウスフレーム
12    ボルト穴
13    位置決めプレート
【図１】
0004446957.tif 000002
【図２】
0004446957.tif 000003
【図３】
0004446957.tif 000004
【図４】
0004446957.tif 000005
【図５】
0004446957.tif 000006
【図６】
0004446957.tif 000007
【図７】
0004446957.tif 000008